(57)【要約】      （修正有）【課題】カルテで使用される種々の病名に対して柔軟に対応してＩＣＤコードを付与することのできるＩＣＤコード付与装置を提供する。【解決手段】病名データとＩＣＤコードとを関連付けて記憶すると共に、病名データがＩＣＤコードに対応していない場合、ＩＣＤコードに対応する病名のうち、病名データに相当する病名を関連付けて記憶する記憶手段３と、処方データに含まれる病名データに基づいて、記憶手段３で対応するＩＣＤコードがある場合にはＩＣＤコードを付与し、ＩＣＤコードがない場合には、記憶手段３で対応する病名データに変換した後、ＩＣＤコードを付与する制御手段４とを備える。【選択図】図１
2010044783.tif 000002
【特許請求の範囲】
【請求項１】
病名データに基づいてＩＣＤコードを割り当てるＩＣＤコード付与装置において、
病名データとＩＣＤコードとを関連付けて記憶すると共に、前記病名データがＩＣＤコードに対応していない場合、ＩＣＤコードに対応する病名のうち、前記病名データに相当する病名を関連付けて記憶する記憶手段と、
前記病名データに基づいて、前記記憶手段で対応するＩＣＤコードがある場合にはＩＣＤコードを付与し、ＩＣＤコードがない場合には、前記記憶手段で対応する病名データに変換した後、ＩＣＤコードを付与する制御手段とを備えたことを特徴とするＩＣＤコード付与装置。
【発明の詳細な説明】
【技術分野】
【０００１】
本発明は、病名に対してＩＣＤコードを付与するためのＩＣＤコード付与装置に関するものである。
【背景技術】
【０００２】
従来、一般に使用されている病名に対してＩＣＤ（国際疾病分類）コードが付与されており、病歴管理、処方チェック処理等、種々の用途に利用されている。
【０００３】
しかしながら、病院等で作成されるカルテでは、必ずしもＩＣＤコードに対応する病名が使用されているわけではない。この場合、ＩＣＤコードに変換することができず、他の用途への利用が制限されるという問題がある。
【先行技術文献】
【特許文献】
【０００４】
【特許文献１】特開２００３−２５６４６２号公報
【発明の概要】
【発明が解決しようとする課題】
【０００５】
本発明は、カルテで使用される種々の病名に対して柔軟に対応してＩＣＤコードを付与することのできるＩＣＤコード付与装置を提供することを課題とする。
【課題を解決するための手段】
【０００６】
本発明は、前記課題を解決するための手段として、
病名データに基づいてＩＣＤコードを割り当てるＩＣＤコード付与装置において、
病名データとＩＣＤコードとを関連付けて記憶すると共に、前記病名データがＩＣＤコードに対応していない場合、ＩＣＤコードに対応する病名のうち、前記病名データに相当する病名を関連付けて記憶する記憶手段と、
前記病名データに基づいて、前記記憶手段で対応するＩＣＤコードがある場合にはＩＣＤコードを付与し、ＩＣＤコードがない場合には、前記記憶手段で対応する病名データに変換した後、ＩＣＤコードを付与する制御手段とを備えたものである。
【０００７】
この構成により、対応するＩＣＤコードのない病名であっても、自動的に対応するＩＣＤコードのある病名に変換してＩＣＤコードを付与することが可能となる。
【０００８】
前記記憶手段は、病名データが複合病名である場合、１レコードにＩＣＤコードに対応する複数の病名データを記憶し、
前記制御手段は、前記病名データが複合病名である場合、前記記憶手段で記憶させた複数の病名データに変換した後、各病名データに基づいてＩＣＤコードを付与すると、複合病名であっても、ＩＣＤコードを付与することが可能となる点で好ましい。
【０００９】
前記記憶手段は、病名データが複合病名であって、かつ、複合病名の病名部を構成する文字列に複数のＩＣＤコードに対応する病名に相当する部分が含まれる場合、いずれかの文字列を満足するＩＣＤコードを付与する条件式を記憶し、
前記制御手段は、前記病名データが複合病名であって、かつ、複合病名の病名部を構成する文字列に複数のＩＣＤコードに対応する病名に相当する部分が含まれる場合、前記記憶手段で記憶させた条件式に従って複数のＩＣＤコードのいずれかを満足すれば、前記複合病名に相当すると判断すると、使用されるどのような病名であってもＩＣＤコードを付与することが可能となる点で好ましい。
【発明の効果】
【００１０】
本発明によれば、対応するＩＣＤコードのない病名であっても、病名を変換してＩＣＤコードを付与することができるので、カルテで使用される病名の表現上の違いに拘わらず、確実にＩＣＤコードを付与することが可能となり、他の用途への利用を自動的に行わせることができる。
【図面の簡単な説明】
【００１１】
【図１】本実施形態に係る処方チェック装置の構成を示すブロック図である。
【図２】図１の表示装置に表示される初期画面（処方入力画面）を示す。
【図３】図２の処方入力画面で、前回処方照会欄に前回の処方を呼び出した状態を示す。
【図４】図２の処方入力画面で、処方チェック処理を行った結果、処方にエラーがある場合に表示される処方エラー画面を示す。
【図５】図２の処方入力画面で、処方を中断して保留とした場合、テロップ表示部が表示された状態を示す。
【図６】図１の記憶装置に記憶される相互作用テーブルのメインテーブルのデータ構造を示す図表である。
【図７】図１の記憶装置に記憶される相互作用テーブルの検索用テーブルのデータ構造を示す図表である。
【図８Ａ】図１の記憶装置に記憶される辞書テーブルのデータ構造を示す図表である。
【図８Ｂ】図１の記憶装置に記憶される辞書テーブルのデータ構造の他の例を示す図表である。
【図８Ｃ】図１の記憶装置に記憶される辞書テーブルのデータ構造の他の例を示す図表である。
【図９】本実施形態に係る処方チェック装置の操作を示すフローチャート図である。
【図１０】図１の表示装置に表示される適応症チェック画面である。
【図１１】図１の表示装置に表示される相互作用チェック画面である。
【図１２】図１の記憶装置に記憶される辞書テーブルの例を示す図表である。
【図１３】図１の表示装置に表示された「次回チェック」欄で、処方チェック処理の条件を変更した場合の処方例を示す図表である。
【図１４】ＩＣＤコード付与処理を示すフローチャート図である。
【発明を実施するための最良の形態】
【００１２】
以下、本発明に係る実施形態を添付図面に従って説明する。
【００１３】
図１は、本実施形態に係る処方チェック装置を示す。この処方チェック装置は、ディスプレイ等の表示装置１、キーボード，マウス等の入力装置２、ハードディスク等の記憶装置３、中央処理装置４（ＣＰＵ）を備える。
【００１４】
表示装置１では、プログラムを起動することによりメニューバー５（図２中、上端部に示す。）が表示される。そして、メニューバー５の日常業務キーを操作し、表示される処方入力キー（図示せず）を選択すると、初期画面として処方入力画面が表示される。
【００１５】
処方入力画面は、図２に示すように、メニュー欄６、各種入力欄７、各種入力ボタン８、ファンクションキー９、表示欄１０等で構成されている。
【００１６】
処方入力画面のメニュー欄６には、メインメニュー１１と前回処方照会メニュー１２が表示される。メインメニュー１１は、後述する入力欄７の入力が完了することにより操作可能となる。メインメニュー１１には、「前回処方照会」、「処方チェック」、「保留」等の各種ボタンが設けられている。
【００１７】
「前回処方照会」ボタン１３を左クリックすることにより、図３に示すように、メニュー欄６での表示がメインメニュー１１から前回処方照会メニュー１２に切り替わる。前回処方照会メニュー１２には、「診療科別」、「全診療科」、「処方区分別」の各ボタンが設けられている。選択した各単位で、「前回処方照会」欄１４に登録済みの処方内容を表示させることが可能となっている。
【００１８】
「処方チェック」ボタン１５を左クリックすることにより、処方チェック処理が実行され、処方する薬品間に禁忌の対象となるものが含まれている場合等には、図４に示す処方エラー画面に切り替わる。
【００１９】
「保留」ボタン１６を左クリックすることにより、現在入力中の処方を保留状態とすることができる。保留とされた処方は、後述するように、予約ファイルに格納され、「保留」欄１７には、現在保留中の処方データの件数として加算される。
【００２０】
処方エラー画面では、図４に示すように、「薬品」、「用量」、「エラーメッセージ」、「患者」、「医師」、「診療科」、「対応者」、「問い合わせ事項」、「次回チェック」、「処方変更依頼」、「出力（処方箋）」「次回エラーにしない条件」、「内容」、「有効期限」の各欄、さらにはファンクションキー９で構成されている。
【００２１】
処方入力画面の入力欄７は、「患者ＩＤ」、「引換券（処方した薬品を渡す際の引換券の番号）」、「診療科（患者が受けた診療科の名称）」、「病棟（患者が診察を受けた病棟の名称）」、「医師（患者が診察を受けた医師の名前）」、「処方日付」、「服用開始日」、「処方箋区分（外来、定期、臨時等の処方箋を発行する際の形態）」、「明細入力」、「前回処方照会」等の各欄で構成されている。前記各欄は、マウスを右クリックすることにより該当する項目の一覧表を表示させることが可能となっている。表示された一覧表から該当する項目を選択すると、対応する表示欄１０にその内容が表示される。例えば、「患者ＩＤ」欄で右クリックすると、患者ＩＤ及び患者名の一覧表が表示されるので、該当する患者を選択すると、「患者ＩＤ」欄に選択した患者名が表示される。
【００２２】
「明細入力」欄は、図２及び図３に示すように、新たな処方入力のために使用する。「明細入力」欄は、「Ｒｐ」、「区」、「明細」、「用量」の各列で構成されている。「Ｒｐ」は、レシピすなわち服用単位を意味する。「区」は、管理薬品区分を意味する。明細区分(薬品、用法、コメント)が薬品である場合、管理薬品区分の先頭１文字が表示される。例えば、管理薬品であれば「管」、向精神薬であれば「向」が表示される。「明細」は、処方する薬品の名称、服用時期等を意味する。「用量」は、服用時期（例えば、朝、昼、夕食後）、服用用量（例えば、１錠）等を意味する。
【００２３】
「前回処方照会」欄１４は、図３に示すように、「処方日付」、「Ｒｐ」、「明細」の各列で構成されており、前記メインメニュー１１で「前回処方照会」ボタン１３を左クリックすることにより表示される。「前回処方照会」欄１４は、以前の処方内容を今回の処方すなわち「明細入力」欄での入力に再利用する場合に使用される。具体的に、「前回処方照会」欄１４の「処方日付」列でダブルクリックするか、「処方日付」列にカーソルを位置させた状態で、ＥＮＴＥＲキーを操作することにより、処方単位で「明細入力」欄に処方内容をコピーすることができる。また、「Ｒｐ」列では、服用単位、「明細」列では薬品単位でそれぞれコピーすることが可能である。
【００２４】
また、入力ボタン８としては、「通常入力」、「Ｄｏ読込」、「処理区分」、「Ｄｏ登録」、「ＯＫファイル」等の各種ボタンが設けられている。ここでは、特徴部分である「Ｄｏ読込」ボタン１８について説明する。
【００２５】
「Ｄｏ読込」ボタン１８は、ある患者について以前に処方されたデータを再度読み込みするために使用する。すなわち、今回の処方内容と以前の処方内容とが同じであれば、登録されている前回の処方データを再利用すれば、入力の手間を大幅に短縮することが可能であるため、「Ｄｏ読込」ボタン１８を使用する。「Ｄｏ読込」ボタン１８は、初期表示では「Ｄｏ読込しない」となっており、順次、左クリック操作することにより「Ｄｏ読込する」又は「Ｄｏ読込しない」のいずれか一方に切り替わる。表示内容を「Ｄｏ読込する」とした状態で、患者ＩＤ又は患者名を入力すると、その患者について以前に登録された処方データを読み込むことができる。この場合、前述のように、処方単位、服用単位、薬品単位の３段階で、読み込む範囲を設定することができる。
【００２６】
なお、「Ｄｏ読込」ボタン１８で読込可能なデータは、後述する処方入力の際、「Ｄｏ登録」ボタン１９を操作して表示内容を「Ｄｏ登録する」に変更しておくことにより、Ｄｏファイルに自動登録したものが利用される。
【００２７】
ファンクションキー９は、他の部分の表示内容に応じて項目名が変更される。初期表示では、終了キーとヘルプキーのみが表示されている。
【００２８】
処方入力画面の表示欄１０は、「保留」、「オペレータ」の各欄で構成されている。
【００２９】
「保留」欄１７には、現在保留中の処方データの件数が表示される。すなわち、一時的に席を外す場合や次の処方入力を先に行う場合等、処方入力を行えず、処方データを保留状態とする場合、前記ファンクションキー９に表示される保留キーを操作することにより、処方入力を保留状態とし、その旨及び保留件数を「保留」欄１７に表示させる。「保留」欄１７でダブルクリックすると、保留中の処方内容を別ウィンドウで表示することができる。また、保留中であることが、図５に示すように、別ウィンドウのテロップ表示部２０に表示される。ここでは、テロップ表示部２０としては、電光掲示板のように、表示枠内に文字情報が移動しながら表示されるもの等が使用可能である。
【００３０】
入力装置２は、キーボード、マウス等の種々の手段で構成することができる。マウスの場合、表示装置１に表示させたマウスポインタを操作して該当するボタン等に移動させた後、クリック操作することにより所望の処理を行うことが可能である。
【００３１】
記憶装置３は、各種マスターデータを記憶する。各種マスターデータとしては、例えば、患者マスター、病棟マスター、診療科マスター、利用者マスター、診療科別医師マスター、処方箋区分マスター等の患者属性に関するマスターデータや、薬品マスター、用法マスター、コメントマスター、約束マスター（約束処方すなわち予め登録した処方）等の薬品に関するマスターデータや、Ｄｏファイル、予約ファイル、相互作用テーブル、辞書テーブル等の他のマスターデータ等、種々のマスターデータが含まれる。以下、特徴部分であるＤｏファイル、予約ファイル、相互作用テーブル、及び、辞書テーブルについて説明する。
【００３２】
Ｄｏファイルは、前述の通り、「Ｄｏ登録」ボタン１９を操作して表示内容を「Ｄｏ登録する」に変更した状態で、処方入力を行うことにより自動登録されたデータで構成されている。
【００３３】
予約ファイルは、ファンクションキー９に表示される保留キーを操作することにより処方途中で保留とされた入力途中のデータで構成されている。この予約ファイルのデータに基づいて、「保留」欄１７への表示及びテロップ表示が行われる。
【００３４】
相互作用テーブルは、メインテーブルと、検索用テーブルとで構成され、相互作用のチェックすなわち処方チェック処理に利用される。
【００３５】
メインテーブルは、図６に示すように、薬品（処方チェック処理の対象となる基準の薬品名、ここでは薬品コードを使用）、相手薬品（基準薬品と処方チェック処理される他の薬品名、ここでは薬品コードを使用）、禁忌・注意の別、簡易理由（薬袋印刷用等の簡略化した処方理由）、及び、詳細理由の各列で構成されている。薬品と相手薬品との組み合わせからなる各行が１レコードである。但し、一般薬品（ＯＴＣ(over the counter)薬品）の場合、複数の成分が含まれているので、１つの薬品名に対して複数の成分を対応させた成分テーブルが別に用意されている。ＯＴＣ薬品は、例えば、問診等で患者から現在服用中である旨の情報を得た場合、成分テーブルで各成分に分解して今回処方する薬品との禁忌等をチェック（検索）される。
【００３６】
検索用テーブルは、図７に示すように、薬品、禁忌・注意の別、相手薬品の各列で構成され、相手薬品の内容は、対象となる他の薬品のコード番号を列挙したものとなっている。但し、禁忌の対象となる薬品と、注意の対象となる薬品とで相手薬品が分けられている。このため、１レコードに、ある薬品と、その禁忌又は注意のいずれか一方の対象となる相手薬品の組み合わせを全て含めることができる。したがって、レコード数を大幅に削減して検索処理を高速で行わせることが可能である。
【００３７】
このように前記相互作用テーブルを備えることにより、従来、医師がＯＴＣ薬品の表示成分を確認し、その全てについて処方チェックしていた作用を完全に自動化することが可能となる。また、他のチェックシステムのように、ＯＴＣ薬品の処方チェック毎に表示成分の全てを入力する必要もない。
【００３８】
辞書テーブルは、図８Ａに示すように、「病名」、「カナ」、「ＩＣＤコード」の各列で構成されている。「病名」には、ＩＣＤ１０（国際疾病分類）に従って決定された病名のほか、医師により一般的に使用されている病名（一般使用名称）等が含まれる（一般使用名称に対するＩＣＤコードについては図１２参照）。「カナ」は、病名の読み仮名である。「ＩＣＤコード」は、ＩＣＤ１０（国際疾病分類）に従って決定されたコード番号である。「ＩＣＤコード」列には、病名に対応するＩＣＤコードがある場合、そのコード番号が登録されている。病名に対応するＩＣＤコードがない場合、同義語として使用される、ＩＣＤコードのある病名が登録されている。また、複合病名の場合、図８Ｂに示すように、ＩＣＤコードのある病名の組み合わせとして登録されている（例えば、神経性咽頭痛では心因性疼痛と咽頭痛の組み合わせとなる）。さらに、図８Ｃに示すように、複合病名であって、かつ、複合病名の病名部を構成する文字列に複数のＩＣＤコードに対応する病名に相当する部分が含まれる場合、病名をＩＣＤコードに対応させて区切り、「または（or）」や「かつ（and）」により接続した「検索式」をフィールドに格納しておき、それに応じて分解検索する。図８Ｃでは、「または（or）」が「｜」、「かつ（and）」が「＋」で示されている。さらにまた、図１２に示すように、ＩＣＤコードのない一般使用名称の場合、ＩＣＤコードのある病名（マスター表記名称）とＩＣＤコードとが登録されている。
【００３９】
中央処理装置４は、各種データを一時的に記憶するためのメモリ２１（ＲＡＭ）を内蔵する。メモリ２１は、処方データを記憶する処方データメモリ２１や、各種データの作業メモリ２１等として使用する。
【００４０】
なお、表示装置１、入力装置２、記憶装置３、中央処理装置４は、パーソナルコンピュータで構成してもよい。
【００４１】
次に、前記構成の処方チェック装置の操作について、図９のフローチャートに従って説明する。
【００４２】
まず、図２に示す処方入力画面を開き、属性の入力を行う（ステップＳ１）。属性入力では、最初に、患者ＩＤ欄で右クリックし、患者の一覧表を表示させる。患者一覧表は、患者ＩＤと患者名とで構成されている。該当する行を左クリックすれば、その内容が患者ＩＤ欄に反映される。このとき、「年齢」欄に既に登録されている患者の生年月日と本日の日付（システム日付）から算出された年齢が自動表示される。
【００４３】
以下、同様にして、「引換券」、「診療科」、「病棟」、「医師」、「処方日付」、「服用開始日」、「処方箋区分」を入力する。但し、「処方日付」、「服用開始日」には本日の日付が自動入力されるので、必要に応じて変更すればよい。また、これらのデータは、全てホストコンピュータから読み込んで自動表示させることも可能である。
【００４４】
ここで、今から処方された薬品を発行しようとする患者が以前に同様な処方を受けているか否かを判断する（ステップＳ２）。以前の処方内容を再利用する処方再利用処理が必要な場合、患者ＩＤ欄への入力が完了した時点で、「Ｄｏ読込」ボタン１８を操作して表示内容を「Ｄｏ読込する」に変更する。これにより、既に処方済みの内容がＤｏファイルから読み込まれて「前回処方照会」欄１４に表示される。そこで、「前回処方照会」欄１４の「処方日付」列でダブルクリックするか、「処方日付」列にカーソルを位置させた状態で、ＥＮＴＥＲキーを操作すると、Ｄｏファイルから処方単位で「明細入力」欄に処方内容をコピーすることができる（ステップＳ３）。また、「Ｒｐ」列では、服用単位でコピーすることができ、「明細」列では薬品単位でそれぞれコピーすることができる。これにより、入力の手間を大幅に軽減することが可能となる。
【００４５】
なお、処方済みの内容は、「メニュー」欄の「メインメニュー１１」で、「前回処方照会」ボタン１３を操作することによっても「前回処方照会」欄１４に表示させることができる。但し、前記「Ｄｏ読込」ボタン１８を操作して表示内容を「Ｄｏ読込する」に変更しない限り、処方再利用処理はできない。
【００４６】
続いて、以前の処方内容を再利用できない場合、「明細入力」欄で、右クリックし、薬品の一覧表を表示させて該当する薬品を選択する。また、用量、単位等を入力することにより、明細入力を行う（ステップＳ４）。
【００４７】
このようにして処方入力が完了すれば、「メニュー」欄の「メインメニュー１１」で、「処方チェック」ボタン１５を操作することにより処方内容をチェックする処方チェック処理を実行する（ステップＳ５）。
【００４８】
処方チェック処理としては、最小量・最大量チェック、長期禁止チェック、採用日・採用中止チェック、院内・院外採用薬品チェック、適応症チェック、禁忌症チェック、アレルギー・副作用チェック、重複薬品チェック、相互作用チェック、投与期間チェック等が該当する。
【００４９】
最小量・最大量チェックでは、１回で処方可能な用量や、保険が適用される用量の最小値、最大値の要件を満足するか否か、あるいは、体重や年齢の違いによる処方可能な用量の最大値の要件を満足するか否か等をチェックする。
【００５０】
長期禁止チェックでは、服用を続けてもよい最大日数を超えるか否かをチェックする。
【００５１】
採用日・採用中止チェックでは、処方する薬品が採用すなわち服用を許可しているか否かをチェックする。
【００５２】
院内・院外採用薬品チェックでは、病院内でのみ使用可能な薬品と、病院外でのみ使用可能な薬品とをチェックする。
【００５３】
適応症チェックでは、図１０に示すように、例えば、電子カルテに入力された病名と、処方された薬品に基づいて薬品マスターに照会することにより得られる適応症とが一致しているか否かをチェックする。
【００５４】
禁忌症チェックでは、例えば、電子カルテに入力された病名と、処方された薬品に基づいて薬品マスターに照会することにより得られる禁忌症とが一致するか否かをチェックする。
【００５５】
アレルギー・副作用チェックでは、処方データに基づいて患者コメントマスターに照会することにより得られるアレルギー・副作用と、処方された薬品に基づいて薬品マスターに照会することにより得られる薬効とが一致するか否かをチェックする。
【００５６】
重複薬品チェックでは、ある患者について全ての診療科で処方された全薬品（過去に処方された薬品を含む。）に対して同じ薬品が処方されているか否かをチェックする。
【００５７】
相互作用チェックでは、図１１に示すように、病名チェック処理を実行した後、処方された全薬品（過去に処方された薬品を含む。）に対して禁忌及び注意の対象となる薬品が含まれていないか否かについての処理が行われる。
【００５８】
病名チェック処理では、例えば、電子カルテに入力された病名に基づいて、図８Ａに示す辞書テーブルに従ってＩＣＤコードのあるものについては、そのコード番号が割り当てられる。また、ＩＣＤコードのない一般使用名称については、一旦、図１２に示す辞書テーブルに従ってＩＣＤコードのある病名に変換された後、再度、辞書テーブルに従ってＩＣＤコードが割り当てられる。複合病名であれば、図８Ｂ又は図８Ｃに示す辞書テーブルに従って病名が分解され、又は、検索式により条件を設定された後、ＩＣＤコードが割り当てられる。そして、病名にＩＣＤコードが割り当てられれば、相互作用テーブルに従って該当する禁忌又は注意の対象となる薬品を特定し、処方された全薬品について処方チェック処理を開始する。
【００５９】
相互作用チェック処理では、処方された各薬品の薬品コードについて、順次、禁忌又は注意の対象となっていないか否かを、残る他の薬品を全て含む薬品コードが相互作用テーブルに存在するか否かを検索する。前記薬品については、過去に処方された薬品が含まれる。本実施形態では、残る他の薬品全てを１つの薬品コードとして検索することができるので、処理を非常に高速に行うことが可能である。また、相互作用チェック処理では、薬品、適応症病名、ＩＣＤコードからなる適応症テーブルに基づいて、前記病名チェック処理で付与したＩＣＤコードに従って処方すべき薬品及び適応症病名を検索し、処方する薬品に不足がないか否かをチェックする。また、薬品、禁忌レベル、禁忌病名、ＩＣＤコードからなる禁忌テーブルに基づいて、前記ＩＣＤコードに従って、処方する薬品が禁忌の対象となっていないか否かについてチェックする。これにより、処方しようとする薬品を病名から適切なものであるかどうかを確認することができ、投薬ミスを防止することが可能となる。また、ＩＣＤコードと対応されることで、ＥＢＭ（Evidence-Based Medicine）根拠に基づく医療を実現できる。
【００６０】
具体的に制御内容について、図１４に示すフローチャートを参照して説明する。
【００６１】
まず、ＩＣＤコードのないものについて、辞書テーブルに従ってＩＣＤコードのある病名に変換する変換処理を行う（ステップＳ１１）。そして、複合病名であるか否かを判断し（ステップＳ１２）、複合病名でなければ、辞書テーブルでＩＣＤコードを検索する（ステップＳ１３）。また、複合病名であれば、辞書テーブルに従ってＩＣＤコードのある病名に変換あるいは分解し、複合病名の病名部を構成する文字列に複数のＩＣＤコードに対応する病名に相当する部分が含まれる場合、前述の検索式に従ってＩＣＤコードの検索処理を行う（ステップＳ１４）。続いて、相互作用チェック処理で、禁忌薬品を抽出し（ステップＳ１５）、出力及び表示を行った後（ステップＳ１６）、処方データの有無を判断する（ステップＳ１７）。処方データがあれば、前記ステップＳ１５での抽出結果に基づいて処方チェック処理を行う（ステップＳ１８）。
【００６２】
なお、前記相互作用テーブルには、医療用薬品のほか、一般薬品（ＯＴＣ薬品）を含めることができる。例えば、病院などで医師が処方箋を作成する際、患者の問診内容にＯＴＣ薬品の服用があれば、事前にチェックを行える。この場合、ＯＴＣ薬品とチェックした旨の説明を記載することも可能である。また、調剤薬局等で、処方箋に応じて調剤された薬剤を、患者に渡す際、それとは別にＯＴＣ薬品（頭痛薬や、酔い酔い止め等）を購入する場合がある。このとき、調剤された処方データに対してのＯＴＣ薬品の処方チェックを行うことで、副作用等を防止することができる。
【００６３】
前記ステップＳ５で、該当する薬品コードがなければ、禁忌又は注意の対象となる薬品がないと判断し、通常通り、処方された薬剤を調剤する次の処理へと移行する。
【００６４】
また、該当する薬品コードがあれば、禁忌又は注意の対象となる薬品があると判断し、表示装置１に、図４に示す処方エラー画面を表示させる。
【００６５】
処方エラー画面では、「次回チェック」欄で、「する」又は「しない」のいずれか一方を選択することにより、次回の処方チェック処理に反映することができる。「する」を選択した場合、今回と同様に処方チェック処理が実行される。一方、「しない」を選択した場合、今回エラーとなった処理が、次回の処方チェック処理ではチェックの対象から外される。但し、「しない」を選択する場合には、次回エラーにしない条件を、複数の診療科を担当する医師の場合には「診療科」欄及び「医師」欄、その他の医師の場合には「医師」欄にそれぞれ条件を入力することができる。また、「有効期限」欄で、処方対象から除外する期間を設定することができる。なお、「有効期限」欄での入力がなければ、無期限の扱いとなる。次回の処方チェック処理では、この条件に合致した場合にのみチェックの対象から除外される。
【００６６】
具体的に、図１３に処方チェック処理によってエラーとなる処方例を、条件の設定を変更することにより、次回のチェックがどのようになるかの例を示す。処方例１では、テスト錠剤の長期禁止日数が１４ 日であった場合、処方チェックにて、長期禁止日数を超えているので、長期禁止日数エラーになる。例えば、治療が完了するまで、処方チェックでエラーの出た薬品を使用し続けたい場合、「診療科」欄に内科、「医師」欄にテスト医師、「有効期限」欄に2003/12/31と入力し、「次回チェック」欄で「しない」を選択すると、処方例２ではエラーとはならない。これに対し、処方例３では、診療科が外科となっているため、エラーとなる。また、処方例４では処方日付が有効期限内であるためエラーとはならないが、処方例５では有効期限を過ぎているためエラーとなる。
【００６７】
また、処方エラー画面では、「処方変更依頼」欄で、「する」又は「しない」のいずれか一方を選択することにより、医師に処方変更を依頼するか否かを選択することができる。今回処方箋を発行する場合、「する」を選択する。このとき、「内容」欄への入力がない限り、エラーは解消されない。また、変更内容と処方箋に出力する内容とを変更するか否かを、「出力（処方箋）」欄で、「する」又は「しない」のいずれか一方を選択することにより設定することができる。「する」を選択した場合、「出力内容」欄に希望する内容を入力すればよい。
【００６８】
なお、処方エラー画面で、複数の薬品が処方エラーとして表示された場合、「内容」欄への入力内容が共通であるならば、ファンクションキー９の「全エラー」キーを左クリックすることにより同一内容とすることが可能である。
【００６９】
次いで、処方チェック処理が完了すれば、処方箋を発行するか否かを判断する（ステップＳ６）。処方箋を発行する場合、ファンクションキー９の「発行」キーを左クリックする（ステップＳ７）。処方内容に問題がなければ、処方箋が発行され、薬局にて調剤が開始される。例えば、用法の入力が行われていない場合等、処方内容に問題がある場合、該当する理由が画面下方の表示欄１０に表示される。この表示内容に従って処方内容を修正すればよい。なお、保留されているデータがある場合、予約ファイル又は一時格納ファイルから読み込んで処方発行を行う。ここに、予約ファイルとは、再度、処方チェック処理の必要なものであり、一時格納ファイルとは処方チェック処理が完了し、処方を発行するために待機しているだけのものである。
【００７０】
一方、処方箋を発行しない場合、処方入力を保留するか否かを判断する（ステップＳ８）。保留しない場合、ステップＳ４に戻って処方入力を続行する。一方、保留する場合、メインメニュー１１で、「保留」ボタン１６を左クリックすることにより保留発行を行う（ステップＳ９）。これにより、現在入力中の処方データが予約ファイルに格納され、画面の入力文字が消去されて初期画面となる。また、「保留」欄１７に保留件数が点滅表示される。さらに、所定時間経過後に、画面左上に、「保留にされた処方があります。ご確認下さい。」と、テロップ表示される。これにより、保留されたままで処方入力が放置されることを防止することが可能となる。なお、表示ウィンドウは他ウィンドウと別駆動しており、定期的にシステム側で保留処方のチェックが行われ、その都度、画面の最前面に表示される。
【００７１】
「保留」欄１７でダブルクリックすると、保留中の処方データが患者名で一覧表示される。処方入力を再開する場合、該当する患者が表示される行（レコード）をダブルクリックすることにより、処方入力画面に入力途中の内容を反映させて表示させることができる。
【符号の説明】
【００７２】
１…表示装置
２…入力装置
３…記憶装置
４…中央処理装置（ＣＰＵ）
５…メニューバー
６…メニュー欄
７…入力欄
８…入力ボタン
９…ファンクションキー
１０…表示欄
１１…メインメニュー
１２…前回処方照会メニュー
１３…「前回処方照会」ボタン
１４…「前回処方照会」欄
１５…「処方チェック」ボタン
１６…「保留」ボタン
１７…「保留」欄
１８…「Ｄｏ読込」ボタン
１９…「Ｄｏ登録」ボタン
２０…テロップ表示部
２１…メモリ（ＲＡＭ）
【図１】
2010044783.tif 000003
【図６】
2010044783.tif 000004
【図７】
2010044783.tif 000005
【図８Ａ】
2010044783.tif 000006
【図８Ｂ】
2010044783.tif 000007
【図８Ｃ】
2010044783.tif 000008
【図９】
2010044783.tif 000009
【図１２】
2010044783.tif 000010
【図１３】
2010044783.tif 000011
【図１４】
2010044783.tif 000012
【図２】
2010044783.tif 000013
【図３】
2010044783.tif 000014
【図４】
2010044783.tif 000015
【図５】
2010044783.tif 000016
【図１０】
2010044783.tif 000017
【図１１】
2010044783.tif 000018